【手続補正書】
【提出日】平成28年9月16日(2016.9.16)
【手続補正１】
【補正対象書類名】明細書
【補正対象項目名】００１３
【補正方法】変更
【補正の内容】
【００１３】
上記目的を達成するために、請求項１の画像形成装置は、セキュアプリント機能を備えた画像形成装置であって、外部装置から受信した印刷データを前記セキュアプリント機能を用いる印刷データとして記憶する記憶手段と、前記画像形成装置でユーザから受け付けた印刷操作に応じて、前記印刷データに対する印刷処理を実行する印刷手段と、前記印刷処理の実行中に、印刷中止要因を検知する検知手段と、前記印刷中止要因の検知に応じて前記印刷処理を中止するとともに、前記印刷データを前記セキュアプリント機能を用いる印刷データとして前記記憶手段に再び記憶させる制御手段とを有することを特徴とする。
【手続補正２】
【補正対象書類名】明細書
【補正対象項目名】００１４
【補正方法】変更
【補正の内容】
【００１４】
本発明によれば、画像形成装置でユーザから受け付けた印刷操作に応じて実行された印刷処理の実行中に印刷中止要因を検知したことに応じて印刷処理を中止するとともに、印刷データをセキュアプリント機能を用いる印刷データとして再び記憶させるので、印刷物が出力されることがない上に、再び印刷する場合には印刷操作が必要となることから、セキュアプリント機能のセキュリティをさらに向上させた画像形成装置及びその制御方法、並びにプログラムを提供することができる。
【手続補正３】
【補正対象書類名】明細書
【補正対象項目名】００４５
【補正方法】変更
【補正の内容】
【００４５】
このような印刷ジョブイベント４０２が発生し、実行中印刷ジョブ３０３の処理が停滞した場合、画像形成装置１０２は、印刷ジョブ中止処理４０３を実行する。印刷ジョブ中止処理４０３は、実行中印刷ジョブ３０３の実行を中止し、その印刷ジョブの実行前の状態である印刷ジョブデータが記憶部１０９に記憶された状態に戻す。以下の説明では、上記印刷ジョブイベントを、単に要因（印刷中止要因）と表現することがある。
【手続補正４】
【補正対象書類名】特許請求の範囲
【補正対象項目名】全文
【補正方法】変更
【補正の内容】
【特許請求の範囲】
【請求項１】
セキュアプリント機能を備えた画像形成装置であって、
外部装置から受信した印刷データを前記セキュアプリント機能を用いる印刷データとして記憶する記憶手段と、
前記画像形成装置でユーザから受け付けた印刷操作に応じて、前記印刷データに対する印刷処理を実行する印刷手段と、
前記印刷処理の実行中に、印刷中止要因を検知する検知手段と、
前記印刷中止要因の検知に応じて前記印刷処理を中止するとともに、前記印刷データを前記セキュアプリント機能を用いる印刷データとして前記記憶手段に再び記憶させる制御手段と
を有することを特徴とする画像形成装置。
【請求項２】
前記印刷中止要因は、前記ユーザにより選択されることを特徴とする請求項１記載の画像形成装置。
【請求項３】
前記制御手段によって前記印刷処理が中止された場合に、前記印刷処理を中止したことを表示部に表示するとともに、発生した前記印刷中止要因、及び再び印刷処理を実行する場合には前記印刷操作が再び必要であることを示す表示のうちの少なくとも一方を前記表示部に表示することを特徴とする請求項１または請求項２記載の画像形成装置。
【請求項４】
前記制御手段は、前記印刷中止要因が発生し、かつ前記印刷中止要因が発生してから予め定められた時間が経過した場合に、前記印刷処理を中止することを特徴とする請求項１乃至請求項３のいずれか１項に記載の画像形成装置。
【請求項５】
前記時間は、前記印刷中止要因ごとに定められることを特徴とする請求項４記載の画像形成装置。
【請求項６】
前記印刷中止要因は、前記画像形成装置のウォームアップ、色調整、温度調整、クリーニング処理、スリープ状態からの復帰、トナーや印刷用紙などの消耗品不足、及び先行する別の印刷処理が滞留のうちの少なくとも１つであることを特徴とする請求項１乃至請求項５のいずれか１項に記載の画像形成装置。
【請求項７】
セキュアプリント機能を備えた画像形成装置の制御方法であって、
外部装置から受信した印刷データを前記セキュアプリント機能を用いる印刷データとして記憶する記憶ステップと、
前記画像形成装置でユーザから受け付けた印刷操作に応じて、前記印刷データに対する印刷処理を実行する印刷ステップと、
前記印刷処理の実行中に、印刷中止要因を検知する検知ステップと、
前記印刷中止要因の検知に応じて前記印刷処理を中止するとともに、前記印刷データを前記セキュアプリント機能を用いる印刷データとして再び記憶させる制御ステップと
を有することを特徴とする制御方法。
【請求項８】
前記印刷中止要因は、前記ユーザにより選択されることを特徴とする請求項７記載の制御方法。
【請求項９】
前記制御ステップにおいて前記印刷処理が中止された場合に、前記印刷処理を中止したことを表示部に表示するとともに、発生した前記印刷中止要因、及び再び印刷処理を実行する場合には前記印刷操作が再び必要であることを示す表示のうちの少なくとも一方を前記表示部に表示することを特徴とする請求項７または請求項８記載の制御方法。
【請求項１０】
前記制御ステップでは、前記印刷中止要因が発生し、かつ前記印刷中止要因が発生してから予め定められた時間が経過した場合に、前記印刷処理が中止されることを特徴とする請求項７乃至請求項９のいずれか１項に記載の制御方法。
【請求項１１】
前記時間は、前記印刷中止要因ごとに定められることを特徴とする請求項１０記載の制御方法。
【請求項１２】
前記印刷中止要因は、前記画像形成装置のウォームアップ、色調整、温度調整、クリーニング処理、スリープ状態からの復帰、トナーや印刷用紙などの消耗品不足、及び先行する別の印刷処理が滞留のうちの少なくとも１つであることを特徴とする請求項７乃至請求項１１のいずれか１項に記載の制御方法。
【請求項１３】
セキュアプリント機能を備えた画像形成装置の制御方法をコンピュータに実行させるためのプログラムであって、
前記制御方法は、
外部装置から受信した印刷データを前記セキュアプリント機能を用いる印刷データとして記憶する記憶ステップと、
前記画像形成装置でユーザから受け付けた印刷操作に応じて、前記印刷データに対する印刷処理を実行する印刷ステップと、
前記印刷処理の実行中に、印刷中止要因を検知する検知ステップと、
前記印刷中止要因の検知に応じて前記印刷処理を中止するとともに、前記印刷データを前記セキュアプリント機能を用いる印刷データとして再び記憶させる制御ステップと
を有することを特徴とするプログラム。
【請求項１４】
前記印刷中止要因は、前記ユーザにより選択されることを特徴とする請求項１３記載のプログラム。
【請求項１５】
前記制御ステップにおいて前記印刷処理が中止された場合に、前記印刷処理を中止したことを表示部に表示するとともに、発生した前記印刷中止要因、及び再び印刷処理を実行する場合には前記印刷操作が再び必要であることを示す表示のうちの少なくとも一方を前記表示部に表示することを特徴とする請求項１３または請求項１４記載のプログラム。
【請求項１６】
前記制御ステップでは、前記印刷中止要因が発生し、かつ前記印刷中止要因が発生してから予め定められた時間が経過した場合に、前記印刷処理が中止されることを特徴とする請求項１３乃至請求項１５のいずれか１項に記載のプログラム。
【請求項１７】
前記時間は、前記印刷中止要因ごとに定められることを特徴とする請求項１６記載のプログラム。
【請求項１８】
前記印刷中止要因は、前記画像形成装置のウォームアップ、色調整、温度調整、クリーニング処理、スリープ状態からの復帰、トナーや印刷用紙などの消耗品不足、及び先行する別の印刷処理が滞留のうちの少なくとも１つであることを特徴とする請求項１３乃至請求項１７のいずれか１項に記載のプログラム。